(57)【要約】【課題】測定データを記録するリムーバル記録媒体の改竄を防止でき、証明や監査におけるリムーバル記録媒体の信用度を高めること。【解決手段】測定データを記録するための測定装置に対して出し入れ可能なリムーバル記録媒体の一部に、測定装置に固有の属性情報と測定データに基づくラベルデータを印字するラベル印字部を有することを特徴とするもの。【選択図】                    図１
2004157823.tif 000002
【特許請求の範囲】
【請求項１】
測定装置に対して出し入れ可能な測定データを記録するためのリムーバル記録媒体の一部に、測定装置に固有の属性情報と測定データに基づくラベルデータを印字するラベル印字部を有することを特徴とする測定装置。
【請求項２】
測定データを記録するためのリムーバル記録媒体が出し入れ可能に装着されるドライブユニットと、
測定装置に固有の属性情報を記録する属性情報記録部と、
測定データを記録するデータメモリと、
データメモリの測定データをリムーバル記録媒体に転送記録するデータ転送部と、
属性情報記録部の属性情報とデータメモリの測定データに基づきラベルデータを編集するラベルデータ編集部と、
リムーバル記録媒体の一部にラベルデータ編集部で編集したラベルデータを印字するラベル印字部、
とを備えたことを特徴とする測定装置。
【請求項３】
測定装置は、測定対象の物理量に関連した信号を測定記録することを特徴とする請求項１または請求項２記載の測定装置。
【請求項４】
リムーバル記録媒体として光ピックアップにより書込み読み出しを行う回転ディスクを用い、この回転ディスクのデータ記録面の非データ領域に、データ記録と共通の光ピックアップによりラベルデータを印字することを特徴とする請求項１〜請求項３のいずれかに記載の測定装置。
【請求項５】
ラベルデータは、測定データトレンド記録パターンを含むことを特徴とする請求項１〜請求項４のいずれかに記載の測定装置。
【請求項６】
測定データは、生体情報であることを特徴とする請求項３記載の測定装置。
【請求項７】
生体情報は少なくとも医療画像データまたは生体電気信号波形のいずれかであることを特徴とする請求項６記載の測定装置。
【発明の詳細な説明】
【０００１】
【発明の属する技術分野】
本発明は、測定装置に関し、詳しくは、測定装置に対して出し入れ可能な測定データを記録するためのリムーバル記録媒体を用いた測定装置に関するものである。
【０００２】
【従来の技術】
近年の測定装置は、マイクロコンピュータによるデジタル処理化が一般的であり、測定データを、測定装置に対して出し入れ可能なフロッピー（登録商標）ディスク、Ｚｉｐ（登録商標）ディスク、ＣＤ−Ｒ、パッケージ化された半導体メモリなどのリムーバル記録媒体に記録することも広く行われている。そして、リムーバル記録媒体に記録された測定データは、測定装置のドライブを介して再生表示されたり、パーソナルコンピュータのドライブを介して再生表示される。
【０００３】
ところで、このようなリムーバル記録媒体に記録された測定データは、各種取引や官公庁での証明に用いられることがある。このとき、リムーバル記録媒体の一部には、記録されている測定データを測定した測定装置の型名や製造番号などの測定装置に固有の属性情報、測定データの測定日時や測定条件、測定データの特記情報などのインデックス的な各種データを肉眼で判読できるように可視化ラベルとして書き込むことが行われている。
【０００４】
ところが、可視化ラベルをフェルトペンなどで手書きするのにあたり、測定作業者が測定データと可視化ラベルデータとの関係を取り違えて誤記入してしまう恐れがある。
【０００５】
例えば、測定装置がデータ測定中に測定対象に異常状態が発生したことを検出してアラーム信号を発生させ、リムーバル記録媒体にはこの事実を含む測定データが記録されているものとする。このとき、測定作業者が可視化ラベルを手書きするのにあたり、故意に「アラーム発生無し」と記入すると、簡単に改竄できる。
【０００６】
このような事態が日常的に発生し得る現状は、リムーバル記録媒体に記録された測定データを監査する立場としては、リムーバル記録媒体の一部に手書きされた可視化ラベルデータに対する証明用としての信用度を低く判断せざるを得ず、大きな問題である。
【０００７】
また、可視化ラベルデータを手書きするのにあたり、入手容易な油性ペンが多用されているが、油性ペンによる書込みは容易に入手できるアルコールで拭くことにより消えてしまう点も証明用としては好ましくない。
【０００８】
また、測定データの内容を確認するために測定装置やパーソナルコンピュータのドライブを介して再生表示することは本来の監査業務であるものの、さらに可視化ラベルデータとして手書きされている測定データの作成日付やアラーム発生の有無などを確認することは多大の作業工数を強いることになる。
【０００９】
また、測定装置のユーザーは、測定データの内容をパーソナルコンピュータのドライブを介して再生表示するのにあたり、測定データのみならず、アラームやレンジなども検索できて統合的に扱えるように測定装置専用に作成されたビューアソフトウェアを用いることが多い。
【００１０】
しかし、証明用データや監査用データを確認する官公庁などのパーソナルコンピュータに、その都度所定のビューアソフトウェアをインストールしてもらうことは困難であり、作業性・操作性が劣ることを承知のうえで測定データを汎用テキストデータに変換して提出している現状である。
【００１１】
さらに、可視化ラベルデータを手書きするのにあたり、文字の大きさはペンの太さに依存することから、油性ペンによる書込みでは一般には多量の情報を書き込むことはできない。
【００１２】
【特許文献１】
特開２００１−１２５８５６
【００１３】
特許文献１には、ユーザーが独自に編集した音楽データを記録媒体に記録した場合に、その記録媒体に貼付する印刷ラベルを確実に得ることができるようにした情報処理装置および方法、情報処理システム、並びにプログラム記録媒体に関する発明が開示されている。
【００１４】
特許文献１によれば、従来の手書き作業工数が不要になり、正確かつきれいに印刷されたラベルが得られる。
【００１５】
しかし、特許文献１では、本発明の目的のように、測定データと測定装置固有の属性情報とを関連づけてラベル印刷することは全く意図していない。
【００１６】
【発明が解決しようとする課題】
本発明は、このような点に着目したものであり、その目的は、測定データを記録するリムーバル記録媒体の改竄を防止でき、証明や監査におけるリムーバル記録媒体の信用度を高めることにある。
【００１７】
また他の目的は、リムーバル記録媒体の一部に印字された可視化ラベルから測定データの概要を正確に把握できる測定装置を実現することにある。
【００１８】
【課題を解決するための手段】
このような課題を達成する請求項１記載の発明は、
測定装置に対して出し入れ可能な測定データを記録するためのリムーバル記録媒体の一部に、測定装置に固有の属性情報と測定データに基づくラベルデータを印字するラベル印字部を有することを特徴とする測定装置である。
【００１９】
【請求項８】
測定データを記録するためのリムーバル記録媒体が出し入れ可能に装着されるドライブユニットと、
測定装置に固有の属性情報を記録する属性情報記録部と、
測定データを記録するデータメモリと、
データメモリの測定データをリムーバル記録媒体に転送記録するデータ転送部と、
属性情報記録部の属性情報とデータメモリの測定データに基づきラベルデータを編集するラベルデータ編集部と、
リムーバル記録媒体の一部にラベルデータ編集部で編集したラベルデータを印字するラベル印字部、
とを備えたことを特徴とする測定装置である。
【００２０】
これらにより、測定装置に対して出し入れ可能な測定データを記録するためのリムーバル記録媒体の一部には、測定装置に固有の属性情報と測定データに基づく可視化ラベルが作業者の手書きによることなく測定装置において自動的に印字されるので、改竄を防止でき、証明や監査におけるリムーバル記録媒体信用度を高めることができる。
【００２１】
請求項３記載の発明は、請求項１または請求項２記載の測定装置において、
測定対象の物理量に関連した信号を測定記録することを特徴とする。
【００２２】
請求項４記載の発明は、請求項１〜請求項３のいずれかに記載の測定装置において、
リムーバル記録媒体として光ピックアップにより書込み読み出しを行う回転ディスクを用い、この回転ディスクのデータ記録面の非データ領域に、データ記録と共通の光ピックアップによりラベルデータを印字することを特徴とする。
【００２３】
請求項５記載の発明は、請求項１〜請求項４のいずれかに記載の測定装置において、
ラベルデータは、測定データトレンド記録パターンを含むことを特徴とする。
【００２４】
これらにより、別途ラベルデータ印字手段を追加することなく、リムーバル記録媒体の一部に印字された可視化ラベルから、測定対象の物理量に関連したアナログ信号の概要を正確に把握できる。
【００２５】
請求項６記載の発明は、請求項３記載の測定装置において、
測定データは、生体情報であることを特徴とする。
【００２６】
請求項７記載の発明は、請求項６記載の測定装置において、
生体情報は少なくとも医療画像データまたは生体電気信号波形のいずれかであることを特徴とする。
【００２７】
これらにより、生体情報の測定結果をリムーバル記録媒体に記録する場合における被検体と測定結果のラベルデータの取り違えなどを防止できる。
【００２８】
【発明の実施の形態】
以下、本発明の実施態様を、図面を用いて説明する。
図１は本発明の概念構成を示すブロック図である。ここで、本発明における測定装置１００は、測定対象の物理量に関連した信号を測定記録する記録計、データ収録装置、オシロスコープなどに代表される計測器や、被検体の医療画像データや心電波形・筋電波形などの生体電気信号波形を測定記録する医療画像装置を含むものとする。このような測定装置１００には、測定データを記録するための、フロッピー（登録商標）ディスク、Ｚｉｐディスク、ＣＤ−Ｒ、ＤＶＤ、パッケージ化された半導体メモリなどのリムーバル記録媒体２００を出し入れ可能に装着するためのドライブユニット１０１が設けられている。
【００２９】
ここで、信号は、薬剤の流量信号などのアナログ信号、測定現場からの信号伝送に用いられるパルス変換器からのパルス信号、２値化または多値化されたデジタル信号を含むものとする。
【００３０】
なお、本発明におけるリムーバル記録媒体２００とは、ＣＤ−Ｒなどのように記録媒体を保護ケースから出して用いるものに限るものではなく、記録媒体が保護ケースに収納された状態で用いるものも含むものとする。
【００３１】
そして、測定装置１００には、リムーバル記録媒体２００の一部に測定装置１００に固有の属性情報と測定データに基づくラベルデータを印字するラベル印字部１０２が設けられている。このようなラベル印字部１０２としては、サーマルプリンタやインクジェットプリンタやレーザープリンタや光学的に記録媒体に対する書込み読み出しを行う光ピックアップなどを用いることができる。
【００３２】
図２は測定装置１００の内部構成例を示すブロック図であり、図１と共通する部分には同一の符号を付けている。ＣＰＵ１０３は、測定装置全体の動作を統括的に制御する。このＣＰＵ１０３の動作は、ＲＯＭ１０４に固定情報として記録されているプログラムやパラメータ、設定操作部１０５の操作キーやスイッチなどにより設定入力され必要に応じてＲＡＭ１０６に一時的に保存記録される可変パラメータに基づき制御される。
【００３３】
測定部１０７は、アナログ信号や生体情報などをデジタル化された測定データとして取り込むものである。測定部１０７で取り込んだ測定データは、一旦データメモリ１０８に記録される。このデータメモリ１０８に記録された測定データは、ＣＰＵ１０３の制御処理プログラムに基づき必要な演算処理や画像処理が施される。それらの処理結果は、必要に応じて、表示部１０９に表示され、プリント部１１０で記録紙上に印字され、ＲＡＭ１０６やデータメモリ１０８の処理結果記録エリアに記録される。そしてさらに、これらＲＡＭ１０６やデータメモリ１０８に記録された測定データや処理結果のファイルは、必要に応じてデータ転送部１１１を介してリムーバル記録媒体２００に転送記録される。
【００３４】
装置固有情報メモリ１１２には、測定装置１００の型名や製造番号など、測定装置の固有属性を表す各種のデータが記録されている。この装置固有情報メモリ１１２に記録されている装置固有属性データは、ラベル印字部１０２でリムーバル記録媒体２００の一部にラベル印字を行うのにあたり、必要な情報がラベルデータ編集部１１３に読み出される。
【００３５】
ラベルデータ編集部１１３は、装置固有情報メモリ１１２の属性情報とデータメモリ１０８の測定データに基づき、ラベル印字部１０２でリムーバル記録媒体２００の一部に行うラベル印字の内容データを編集する。ラベル印字の内容データとしては、
・測定期間日時データ
・測定期間におけるアラーム発生の有無
・測定データトレンドの記録パターン
・測定データのファイル名
・バッチ処理番号
・リムーバル記録媒体への転送記録日時
・測定装置の型名
・測定装置の製造番号
・測定装置の校正日時
・測定作業者名
・リムーバル記録媒体への転送作業者名
・測定結果承認者名
・測定結果承認日
などを含み、これらの項目をリムーバル記録媒体２００の使用目的に応じて組み合わせて印字できるように適宜編集する。
【００３６】
通信インタフェース１１４は、測定装置１００と図示しない一部装置との間における情報の授受を行う。
【００３７】
このように構成された装置の動作について説明する。
作業者は、測定装置１００のドライブユニット１０１にリムーバル記録媒体２００を装着して、データメモリ１０８に記録されている測定データをリムーバル記録媒体２００に転送記録するように指示する。
【００３８】
この指示を受けて、ラベルデータ編集部１１３は、装置固有情報メモリ１１２の属性情報とデータメモリ１０８の測定データに基づき、ラベル印字部１０２でリムーバル記録媒体２００の一部に印字するラベルの内容を編集する。
【００３９】
データ転送部１１１は、測定データをリムーバル記録媒体２００に転送記録する。リムーバル記録媒体２００が回転ディスク型の場合には、測定データを書込み記録するために回転駆動される。
【００４０】
リムーバル記録媒体２００への測定データの転送書込みが終わると、ラベル印字部１０２によるリムーバル記録媒体２００の一部へのラベル印字が行われる。
【００４１】
そして、ラベル印字部１０２によるリムーバル記録媒体２００の一部へのラベル印字が終了すると、リムーバル記録媒体２００は測定装置１００のドライブユニット１０１から自動的に排出される。
【００４２】
このように、作業者はリムーバル記録媒体２００を測定装置１００のドライブユニット１０１に挿入するだけでよく、その後は測定データの転送記録からリムーバル記録媒体２００の排出までの一連の処理が作業者の作業によることなく自動的に実行される。
【００４３】
図３は、リムーバル記録媒体２００としてＣＤ−Ｒを用いる場合の構成例図である。ここで、ＣＤ−Ｒ２００として、
ａ）測定データの記録部とラベル印字部を同一面に形成するもの
ｂ）測定データの記録部とラベル印字部を異なる面に形成するもの
の２種類が考えられる。
【００４４】
ａ）は、レーザーで情報を記録することにより、レーザーが照射された部分だけメディアの色素の色調が変化することを利用するものである。測定データの記録とラベル印字とを１個の光ピックアップＯＰＵで共通に行うことができ、ラベル印字用の記録ヘッドＰＲＴを別途設けなくてよいので、測定装置全体としては構成部品を削減できる。
【００４５】
図４はこのようなＣＤ−Ｒの具体例の概念図である。中央部分の領域Ａは測定データの記録領域であり、測定装置１００から所定の測定データが転送記録される。領域Ａの他の外周領域は、ラベル印字領域として利用できる。図４の例では、測定期間Ｌ１、測定対象のタグ番号Ｌ２、アラーム発生有無状況Ｌ３、測定装置１００の固有属性である機種名と製造番号Ｌ４を直径方向に記入している。
【００４６】
図５はこのようなＣＤ−Ｒの他の具体例の概念図である。図５の例では、中央部分の測定データの記録領域Ａの他の外周領域の円周方向に、ラベルデータの一種として記録領域Ａに記録されている測定データＭＶのトレンドとハイレベル設定値ＨＬとローレベル設定値ＬＬとを円形グラフ状の記録パターンとして記入している。なお、図４に示した他のラベルデータ類も任意の方向に沿って記録できるが、図５では省略している。
【００４７】
これにより、記録されている測定データの推移概要を再生表示させることなく目視確認できる。
【００４８】
ｂ）の場合、ＣＤ−Ｒ２００への測定データの記録は光ピックアップＯＰＵで行い、ラベル印字は記録ヘッドＰＲＴで行う。この場合には、各面の全面に測定データまたはラベルデータを記録できるので、ａ）よりも多くのデータを記録できる。
【００４９】
なお、上記実施例では、記録計の測定データをＣＤ−Ｒに転送記録する例について説明したが、本発明は、フロッピー（登録商標）ディスク、Ｚｉｐディスク、パッケージ化された半導体メモリなどその他のリムーバル記録媒体に転送記録する場合にも適用できる。フロッピー（登録商標）ディスク、Ｚｉｐディスク、パッケージ化された半導体メモリなどのように記録媒体が保護ケースに収納された状態で用いるものについては、ラベルは保護ケースの一部分に印字すればよい。
【００５０】
また、測定データは、医療画像データや生体電気信号波形などの生体情報も含むものであり、大量の測定データの記録が必要な医療分野における医療生体情報と患者属性データとの取り違え防止にも有効である。
【００５１】
また、測定データの他に、必要に応じて測定に関連した音声データや画像データもリムーバル記録媒体に転送記録するようにしてもよい。
【００５２】
また、測定データのトレンド記録パターンは円形グラフ状に限るものではなく、時間軸と測定値軸が直交する方向に記録されるものでもよい。
【発明の効果】
以上説明したように、本発明によれば、測定データを記録するリムーバル記録媒体の改竄を防止できることから、証明や監査におけるリムーバル記録媒体の信用度を高めることができ、記録計や医療診断機器などの各種測定装置として実用上の効果は大きい。
【図面の簡単な説明】
【図１】本発明の概念構成を示すブロック図である。
【図２】測定装置１００の内部構成例を示すブロック図である。
【図３】リムーバル記録媒体２００としてＣＤ−Ｒを用いる場合の構成例図である。
【図４】ＣＤ−Ｒの具体例の概念図である。
【図５】ＣＤ−Ｒの他の具体例の概念図である。
【符号の説明】
１００  測定装置
１０１  ドライブユニット
１０２  ラベル印字部
１０３  ＣＰＵ
１０４  ＲＯＭ
１０５  設定操作部
１０６  ＲＡＭ
１０７  測定部
１０８  データメモリ
１０９  表示部
１１０  プリンタ部
１１１  データ転送部
１１２  装置固有情報メモリ
１１３  ラベルデータ編集部
１１４  通信インタフェース
２００  リムーバル記録媒体
【図１】
2004157823.tif 000003
【図２】
2004157823.tif 000004
【図３】
2004157823.tif 000005
【図４】
2004157823.tif 000006
【図５】
2004157823.tif 000007